【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  導電性支持体及び該導電性支持体上に設けられた感光層を有する電子写真感光体において、
該電子写真感光体の最表面層が、同一分子内に２つ以上の連鎖重合性官能基を有する正孔輸送性化合物を熱又は紫外線によって重合した化合物を含有し、
該最表面層の示差走査熱分析での発熱量が、６０ｍＪ／ｍｇ以下である
ことを特徴とする電子写真感光体。
【請求項２】  前記最表面層の示差走査熱分析での発熱量が、４０ｍＪ／ｍｇ以下である請求項１に記載の電子写真感光体。
【請求項３】  前記連鎖重合性官能基を有する正孔輸送性化合物が、下記一般式（１）で示される化合物である請求項１又は２に記載の電子写真感光体。
【化１】
2001166517.tif 000001
（一般式（１）中、Ａは正孔輸送性基を示す。Ｐ１及びＰ２は連鎖重合性官能基を示す。Ｐ１とＰ２は同一でも異なってもよい。Ｚは置換基を有してもよい有機基を示す。ａ、ｂ及びｄは０又は１以上の整数を示し、ａ＋ｂ×ｄは２以上の整数を示す。また、ａが２以上の場合Ｐ１は同一でも異なってもよく、ｄが２以上の場合Ｐ２は同一でも異なってもよく、またｂが２以上の場合、Ｚ及びＰ２は同一でも異なってもよい。）
【請求項４】  前記一般式（１）中のＡの、ＡとＰ１との結合部位及びＡとＺとの結合部位を水素原子に置き換えた正孔輸送性化合物が、下記一般式（２）で示される化合物、下記一般式（３）で示される化合物、下記一般式（４）で示される化合物、下記一般式（５）で示される化合物、下記一般式（７）で示される化合物、縮合環炭化水素、及び、縮合複素環（但し、下記一般式（７）で示される化合物、縮合環炭化水素、及び、縮合複素環は、下記一般式（８）の置換基を１つ以上有する。）からなる群から選ばれた少なくとも１種である請求項３に記載の電子写真感光体。
【化２】
2001166517.tif 000002
（一般式（２）中、Ｒ１〜Ｒ３は置換基を有してもよいアルキル基、置換基を有してもよいアラルキル基又は置換基を有してもよいアリール基を示す。但し、Ｒ１〜Ｒ３のうちの少なくとも２つはアリール基を示す。また、Ｒ１〜Ｒ３は同一であっても異なっていてもよい。）
【化３】
2001166517.tif 000003
（一般式（３）中、Ｒ４、Ｒ５、Ｒ８及びＲ９は置換基を有してもよいアルキル基、置換基を有してもよいアラルキル基又は置換基を有してもよいアリール基を示し、Ｒ４、Ｒ５、Ｒ８及びＲ９は同一であっても異なっていてもよい。Ｒ６及びＲ７は置換基を有してもよいアルキレン基又は置換基を有してもよいアリーレン基を示し、Ｒ６及びＲ７は同一であっても異なっていてもよい。Ｑは置換基を有してもよい有機基を示す。）
【化４】
2001166517.tif 000004
（一般式（４）中、Ｒ１０〜Ｒ１３は置換基を有してもよいアルキル基、置換基を有してもよいアラルキル基又は置換基を有してもよいアリール基を示し、Ｒ１０〜Ｒ１３は同一であっても異なっていてもよい。Ａｒ１及びＡｒ２は置換基を有してもよいアリーレン基を示し、Ａｒ１及びＡｒ２は同一であっても異なっていてもよい。ｍ１は０又は１を示す。）
【化５】
2001166517.tif 000005
（一般式（５）中、Ａｒ３及びＡｒ４は置換基を有してもよいアリール基を示し、Ａｒ３及びＡｒ４は同一であっても異なっていてもよい。Ｒ１４は置換基を有してもよいアルキル基、置換基を有してもよいアラルキル基又は置換基を有してもよいアリール基を示す。但し、Ａｒ３、Ａｒ４及びＲ１４のうち少なくとも１つは、下記一般式（６）で示される置換基を有する。
【化６】
2001166517.tif 000006
（一般式（６）中、Ａｒ５は置換基を有してもよいアリール基を示す。Ｒ１５及びＲ１６は置換基を有してもよいアルキル基、置換基を有してもよいアラルキル基、置換基を有してもよいアリール基又は水素原子を示し、Ｒ１５及びＲ１６は同一であっても異なっていてもよい。ｎ１は０〜２の整数を示す。）
【化７】
2001166517.tif 000007
（一般式（７）中、Ａｒ６は置換基を有してもよいアリール基を示す。Ｒ１７及びＲ１８は置換基を有してもよいアルキル基、置換基を有してもよいアラルキル基又は置換基を有してもよいアリール基を示し、Ｒ１７及びＲ１８は同一であっても異なっていてもよい。）
【化８】
2001166517.tif 000008
（一般式（８）中、Ａｒ７は置換基を有してもよいアリール基を示す。Ｒ１９及びＲ２０は置換基を有してもよいアルキル基、置換基を有してもよいアラルキル基、置換基を有してもよいアリール基又は水素原子を示し、Ｒ１９及びＲ２０は同一であっても異なっていてもよい。ｎ２は０〜２の整数を示す。）
【請求項５】  前記一般式（１）中のＺ又は前記一般式（３）中のＱが、置換基を有してもよいアルキレン基、置換基を有してもよいアリーレン基、ＣＲ２１＝ＣＲ２２（Ｒ２１及びＲ２２は置換基を有してもよいアルキル基、置換基を有してもよいアリール基又は水素原子を示し、Ｒ２１及びＲ２２は同一であっても異なっていてもよい。）、Ｃ＝Ｏ、Ｓ＝Ｏ、ＳＯ２、酸素原子及び硫黄原子からなる群より選ばれた１つの、あるいは２つ以上が組み合わされてなる有機基である請求項３又は４に記載の電子写真感光体。
【請求項６】  前記一般式（１）中のＺ又は前記一般式（３）中のＱが、下記一般式（９）で示される基である請求項３〜５のいずれかに記載の電子写真感光体。
【化９】
2001166517.tif 000009
（一般式（９）中、Ａｒ８及びＡｒ９は置換基を有してもよいアリーレンを示し、Ｘ１〜Ｘ３は置換基を有してもよいアルキレン基、（ＣＲ２３＝ＣＲ２４）ｍ２、Ｃ＝Ｏ、Ｓ＝Ｏ、ＳＯ２、酸素原子又は硫黄原子を示す。Ｒ２３及びＲ２４は置換基を有してもよいアルキル基、置換基を有してもよいアリール基又は水素原子を示し、Ｒ２３及びＲ２４は同一であっても異なっていてもよい。ｍ２は１〜５の整数、ｐ、ｑ、ｒ、ｓ及びｔは０〜１０の整数を示す。但し、ｐ、ｑ、ｒ、ｓ及びｔは同時に０であることはない。）
【請求項７】  前記一般式（１）中のＺ又は前記一般式（３）中のＱが、下記一般式（１０）で示される基である請求項３〜５のいずれかに記載の電子写真感光体。
【化１０】
2001166517.tif 000010
（一般式（１０）中、Ａｒ１０は置換基を有してもよいアリーレン基を示す。Ｘ４及びＸ５は（ＣＨ２）ｍ３、（ＣＨ＝ＣＲ２５）ｍ４、Ｃ＝Ｏ又は酸素原子を示す。Ｒ２５は置換基を有してもよいアルキル基、置換基を有してもよいアリール基又は水素原子を示す。ｕ、ｖ及びｗは０〜１０の整数を示す。但し、ｕ、ｖ及びｗは同時に０であることはない。）
【請求項８】  前記一般式（２）中のＲ１〜Ｒ３が置換基を有してもよいアリール基である請求項４に記載の電子写真感光体。
【請求項９】  前記一般式（３）中のＲ４、Ｒ５、Ｒ８及びＲ９のうちの２つ以上が置換基を有してもよいアリール基であり、Ｒ６及びＲ７が置換基を有してもよいアリーレン基である請求項４に記載の電子写真感光体。
【請求項１０】  前記一般式（３）中のＲ４、Ｒ５、Ｒ８及びＲ９がいずれも置換基を有してもよいアリール基である請求項９に記載の電子写真感光体。
【請求項１１】  前記一般式（４）中のＲ１０及びＲ１１が置換基を有してもよいアリール基である請求項４に記載の電子写真感光体。
【請求項１２】  前記一般式（４）中のｍ１が１であり、Ｒ１０〜Ｒ１３が置換基を有してもよいアリール基である請求項１１に記載の電子写真感光体。
【請求項１３】  前記一般式（５）中のＲ１４が置換基を有してもよいアリール基である請求項４に記載の電子写真感光体。
【請求項１４】  前記一般式（６）中のＲ１６が置換基を有してもよいアリール基である請求項１３に記載の電子写真感光体。
【請求項１５】  前記一般式（７）中のＲ１７及びＲ１８が置換基を有してもよいアリール基である請求項４に記載の電子写真感光体。
【請求項１６】  前記一般式（８）中のＲ２０が置換基を有してもよいアリール基である請求項１５に記載の電子写真感光体。
【請求項１７】  前記連鎖重合性官能基Ｐ１及びＰ２の一方又は両方が、下記一般式（１１）で示される不飽和重合性官能基である請求項３〜１６のいずれかに記載の電子写真感光体。
【化１１】
2001166517.tif 000011
（一般式（１１）中、Ｅは水素原子、ハロゲン原子、置換基を有してもよいアルキル基、置換基を有してもよいアリール基、シアノ基、ニトロ基、アルコキシ基、−ＣＯＯＲ２６（Ｒ２６は水素原子、ハロゲン原子、置換基を有してもよいアルキル基、置換基を有してもよいアラルキル基又は置換基を有してもよいアリール基を示す。）又は−ＣＯＮＲ２７Ｒ２８（Ｒ２７及びＲ２８は水素原子、ハロゲン原子、置換基を有してもよいアルキル基、置換基を有してもよいアラルキル基又は置換基を有してもよいアリール基を示し、Ｒ２７及びＲ２８は同一であっても異なっていてもよい。）を示し、Ｗは置換基を有してもよいアルキレン基、置換基を有してもよいアリーレン基、−ＣＯＯ−、−ＣＨ２−、−Ｏ−、−ＯＯ−、−Ｓ−又は−ＣＯＮＲ２９−（Ｒ２９は水素原子、ハロゲン原子、置換基を有してもよいアルキル基、置換基を有してもよいアラルキル基又は置換基を有してもよいアリール基を示す。）を示す。ｆは０又は１を示す。）
【請求項１８】  前記連鎖重合性官能基Ｐ１及びＰ２の一方又は両方が、下記一般式（１２）で示される環状エーテル基である請求項３〜１６のいずれかに記載の電子写真感光体。
【化１２】
2001166517.tif 000012
（一般式（１２）中、Ｒ３０及びＲ３１は水素原子、置換基を有してもよいアルキル基、置換基を有してもよいアラルキル基又は置換基を有してもよいアリール基を示し、ｎは１〜１０の整数を示す。）
【請求項１９】  前記連鎖重合性官能基Ｐ１及びＰ２の一方又は両方が、下記一般式（１３）で示される脂環式エポキシ基である請求項３〜１６のいずれかに記載の電子写真感光体。
【化１３】
2001166517.tif 000013
（一般式（１３）中、Ｒ３２及びＲ３３は水素原子、置換基を有してもよいアルキル基、置換基を有してもよいアラルキル基又は置換基を有してもよいアリール基を示し、ｎは０〜１０の整数を示す。）
【請求項２０】  前記連鎖重合性官能基Ｐ１及びＰ２の一方又は両方が、下記構造式（１４）〜（２０）のいずれかで示される基である請求項３〜１６のいずれかに記載の電子写真感光体。
【化１４】
2001166517.tif 000014
【請求項２１】  前記同一分子内に２つ以上の連鎖重合性官能基を有する正孔輸送性化合物の酸化電位が０．４〜１．２（Ｖ）である請求項３〜２０のいずれかに記載の電子写真感光体。
【請求項２２】  前記熱の温度が５０℃〜２５０℃である請求項１〜２１のいずれかに記載の電子写真感光体。
【請求項２３】  前記紫外線の光強度が１０００ｍＷ／ｃｍ２以下である請求項１〜２１のいずれかに記載の電子写真感光体。
【請求項２４】  前記紫外線の照射時間が１２０秒以下である請求項１〜２１及び２３のいずれかに記載の電子写真感光体。
【請求項２５】  請求項１〜２４のいずれかに記載の電子写真感光体と、帯電手段、現像手段及びクリーニング手段からなる群より選ばれた少なくとも１つの手段とを一体に支持し、電子写真装置本体に着脱自在であることを特徴とするプロセスカートリッジ。
【請求項２６】  請求項１〜２４のいずれかに記載の電子写真感光体、帯電手段、露光手段、現像手段及び転写手段を有することを特徴とする電子写真装置。
【手続補正２】
【補正対象書類名】明細書
【補正対象項目名】０００９
【補正方法】変更
【補正の内容】
【０００９】
【課題を解決するための手段】
本発明は、導電性支持体及び該導電性支持体上に設けられた感光層を有する電子写真感光体において、
該電子写真感光体の最表面層が、同一分子内に２つ以上の連鎖重合性官能基を有する正孔輸送性化合物を熱又は紫外線によって重合した化合物を含有し、
該最表面層の示差走査熱分析での発熱量が、６０ｍＪ／ｍｇ以下である
ことを特徴とする電子写真感光体、該電子写真感光体を有するプロセスカートリッジ及び電子写真装置である。